(57)【要約】  時刻表示部(13,14)を有し、かつ平行に配された２つのローラ(11,12)の間に張り渡された可撓性のある無端リボン(10)、及び  香箱内で巻き上げられたぜんまいと脱進機と前記脱進機に連結されて成る調速機とを備えた、前記ローラの少なくとも１つを回転する機構を備えて成るタイムピース。前記ぜんまいは、駆動機構である前記香箱を形成する前記ローラの少なくとも１つの内部で巻き上げられる。【選択図】          図１
2009531688.tif 000002
【特許請求の範囲】
【請求項１】
時刻表示部(13,14)を有し、かつ平行に配された２つのローラ(11,12)の間に張り渡された可撓性のある無端リボン(10)、及び
香箱内で巻き上げられたぜんまいと脱進機と前記脱進機に連結されて成る調速機とを備えた、前記ローラの少なくとも１つを回転する機構を備えて成るタイムピースであって、
前記ぜんまいは、駆動機構である前記香箱を形成する前記ローラの少なくとも１つの内部で巻き上げられることを特徴とするタイムピース。
【請求項２】
前記機構において、２つのローラ(11,12)は、同一であり、かつ２つのローラの中間に実質的に配される、脱進機(24)と調速機(26)とに、輪列(20,21,22)を介して、それらの端部(19)の１つまで同様に連結される香箱を形成することを特徴とする請求項１に記載のタイムピース。
【請求項３】
前記機構は、リボン(10)が反時計回りで２４時間に１回転又は数回転するように構成されていることを特徴とする請求項１又は２に記載のタイムピース。
【請求項４】
前記ローラに含まれる前記ぜんまいは、隣接して配された複数の基本的なバネによって、実際に形成されることを特徴とする請求項１〜３のいずれか一項に記載のタイムピース。
【請求項５】
２つのぜんまいの巻き上げを可能にするために、各ローラが、２つのローラの中間において、制御真(34)により作動される中心巻上げカナ(32)と輪列(30,31)を介して実質的に噛み合って、一方の端部では、角穴(29)で終わっていることを特徴とする請求項２〜４のいずれか一項に記載のタイムピース。
【請求項６】
前記リボンの設定をするために、制御真(34)が、前記ローラ上を移動するリボンの上に摩擦を生じるようにリボンに当接して、前記２つのローラに対して平行に配されたシャフト(38)を回転することを特徴とする請求項５に記載のタイムピース。
【発明の詳細な説明】
【技術分野】
【０００１】
本発明は、時計学の分野に関する。より詳細には、そのケース内にあるムーブメントを囲繞する無端リボンを使用して時刻情報が表示され、この情報がガラス越しに見えて、リボンによって保持されるタイムピースに関する。
【背景技術】
【０００２】
このタイプの時計は、例えばスイス特許第338150号に記載され、この伝統的なタイプの機械式ムーブメントの上には、そのベースが筒カナにより貫通されるＵ字形のあぶみ（stirrup）が取り付けられている。これは、このあぶみの枝で軸支旋回するように搭載され、かつ伝統的な時計の針の角速度と同じ速度比率で回転するように搭載された２つの直交する歯車を駆動する。これらの２つの歯車は、ムーブメントの周囲で互いに隣接して配置された２つの無端リボンで示される歯にそれぞれ噛み合っており、一方は、「分」情報を保持し、他方は「時」情報を保持している。
【０００３】
しかし、このタイプの構造は主に２つの欠点を有している。第一に、香箱に含まれるぜんまいの動力及びエネルギーが、許容可能な期間を超えてリボンを駆動するのには不十分であるおそれがあることである。第二に、その時計は、ムーブメントとリボンの駆動機構とリボンがそのアセンブリの周囲を回るための十分な空間とを積み重ねて作られているので、かなり厚いことである。
【０００４】
【特許文献１】スイス特許第338150号
【発明の開示】
【０００５】
本発明は、これら２つの欠点のないリボン状ディスプレイタイムピースを提供することを目的とする。
【０００６】
より詳細には、このタイムピースは、時刻情報を保持し、かつ平行な２つのローラの間に張り渡されている、可撓性のある無端リボン、及びこれらのローラの少なくとも１つを回転して駆動する機構を備えるタイプのものであり、香箱内で巻き上げられたぜんまい、脱進機及びこの脱進機に連結された調速機を備えて成る。このタイムピースは、ローラの少なくとも１つの内部でぜんまいが巻き上げられ、ローラはそれにより駆動機構である香箱を形成するという特徴を有する。
【０００７】
この２つのローラは、同一であるのが好ましく、この２つの中間に配置された特定の脱進機と調速機に、輪列を介して同様に連結される香箱を構成するのが好ましい。
【０００８】
この発明における他の特徴は、添付された図面を参照してなされる、以下の記述により明らかになるだろう。
【発明を実施するための最良の形態】
【０００９】
まず、図１を参照すると、以下において詳細に記述されるであろう機構により実質的に回転される、平行に配された同一の２つのローラ１１と１２との間に張り渡された、可撓性のある無端リボンが１０で示されている。これらの回転時には、これらのローラは、一日に１回転又は複数回転の比率で反時計回りにリボンを動かす。
【００１０】
可撓性のあるリボン１０は、絹、金属、プラスチック、紙、又はその他の材料により形成されることができる。それは、ローラに直交するように並んで配置され、０〜１１の「時」情報を支持するスケール１３が印刷され、「分」情報を支持するスケール１４が、連続する２つの「時」表示を分割する空間に対向するように備えられていても良い。この場合、リボンは、１２時間で１回転する。勿論、スケール１３は０〜２３の「時」の表示を保持しても良く、この場合リボンは２４時間で１回転する。
【００１１】
リボン１０の上に配置された、２つの固定針１５及び１６は、「時」と「分」とを読むための基準となる。これらの針は、時計のガラスの下に容易に固定することができるが、ムーブメント自身に固定されることもできるし、当業者が適当であると思う他の方法で固定されることもできる。
【００１２】
本発明の本質的な特徴の１つによると、リボン１０を駆動する機能を有するローラ１１及び１２は、ムーブメントに対してそれら自身がエネルギー源である。すなわち、ローラは、香箱を形成し、そのため各々がぜんまいを含み、時間と共にぜんまいが弛緩することが、ローラの回転とそれによるリボンの動作とを確保する。
【００１３】
このことは、図に示されていないが、写真用フィルムと同様に、リボンの端部に沿って形成された開口部に噛み合った歯を、ローラの端部に備えることは効果的である。このように、リボンの駆動が、より一層信頼できるようになる。しかし、この場合、リボンを移動させて時刻を設定するために、ローラの歯は、摩擦のある状態でその上に取り付けられるにちがいない。
【００１４】
このような思想を強固にするために、２つのローラ１１と１２とを隔てる距離が21.99ｍｍ、それらの直径が７ｍｍ、という１つの例を挙げることができる。これらのローラの間に張り渡されているリボン１０は、その結果73.79ｍｍの長さを有する。リボンを１２又は２４時間に１回転させるために、ローラ１１及び１２は、それ故それぞれのぜんまいの動作に基づいて、それぞれ１日に3.35又は6.7回転するにちがいない。
【００１５】
ローラの長さは、通常約15ｍｍであり、その高さがかなりあるので、伝統的な香箱におけるぜんまいよりも格別に大きい最大回転モーメントを有するぜんまいを備えて成る香箱を形成することができる。十分な高さのあるぜんまいの１つが利用できない場合には、例えば、香箱の中心に隣接している伝統的なムーブメントにおけるいくつかの基本的なバネのみを必要とし、それによって最大回転モーメント20Ｎｍｍに容易に達成することができる。リボンの駆動が比較的重いときでも、動力及びエネルギーに関する如何なる問題もない。このように48時間を超えて動力の蓄積が行なわれる。
【００１６】
さて、より見やすくするためにリボンと分けて示された、本発明のムーブメントを示す図２〜４を、参照しよう。
【００１７】
図３の側面図に示されるように、反時計回りに回転している、ローラ１１及び１２それぞれは、２つのブリッジ１７と１８との間に軸支旋回するように搭載されている。それは、二番車のカナと噛み合った香箱歯車１９で終わっており、二番車は三番車２１のカナに噛み合い、三番車は四番車２２のカナに噛み合っている。
【００１８】
２つの四番車２２は、２つのローラの中間で、伝統的に調速機を形成している螺旋状のテンプ２６に爪２５を介して連結し、かつ反時計回りに回転している、がんぎ車２４のカナ２３と噛み合っている。ムーブメントの厚みを減少させるという明確な理由のために、がんぎ車のカナ２３の軸が２つの香箱の軸を結ぶ線分ＡＡに対して外されており、この線分上に歯車２０，２１及び２２の軸が一直線に配列されている。これらすべての歯車は、２つのブリッジ２７及び２８の間で軸支旋回するように搭載されている。
【００１９】
図４の側面図に示されるように、ローラ１１及び１２それぞれは、角穴２９で終わっており、角穴は線分ＡＡ上に配列された中心巻き上げカナ３２と、カウンターシャフト３０及び３１を介して２つのローラの中間で噛み合っており、この線分に沿って歯車３０及び３１の軸が配列されている。歯車３０及び３１は、ローラによって使用されるブリッジ３３とブリッジ１８との間で軸支旋回するように搭載されている。
【００２０】
ブリッジ１７，１８，２７，２８及び３３は、ムーブメントのプレートを形成するシャフト（図示せず。）のシステムを使用して組み立てるのが好ましい。
【００２１】
図５及び６は、例として、巻き上げとこのムーブメントの機能の設定が行なわれる方法を示している。
【００２２】
巻き上げカナ３２は、中心巻真３４のところに配され、この中心巻真は、ローラ１１及び１２の軸に平行で、竜頭３５を使用して回転及び移動を作動することができ、ブリッジ１８と３３との間に搭載されている。図５に示されるように、中心巻真は、真３４のところから突出し、動かないカナ３６を保持している。この場合、カナ３２は、図２に示されるように、２つの角穴２９と噛み合っている。竜頭３５を回転することにより、２つの香箱１１及び１２のぜんまいを巻き上げることができる。
【００２３】
図６に示されるように、真３４が引かれた位置にあるとき、巻き上げカナ３２は動かず、カナ３６が、その下方で、中心シャフト３８に固定されたカナ３７と噛み合っている。この中心シャフトは、溝を有しているのが好ましく、ブリッジ２８と３３との間で自由に回転するように搭載され、ローラ１１及び１２の軸に平行に配されている。図４は、このシャフトが内側に多少変形しているリボンの全面に取り付けられていることを示している。竜頭３５を回転させることで、リボン上に配されたシャフト３８により生じる摩擦を介して、針１５及び１６の反対側でその針合せが確実になるようにリボンを動かすことができる。カナ３６が到達する側とは反対側のカナ３７の側面から配された細長いバネ３９は、これの正しい位置を定めるのに役に立つことを最後に申し述べる。
【００２４】
このように、２つの駆動ローラを香箱として使用する特徴を有する、リボン状ディスプレイを備えて成るタイムピースが提案される。このように、満足のいく信頼と独立した運転に必要とされる、動力及びエネルギーのすべてを与えるぜんまいを収容できる、かなりの体積がある。
【００２５】
この記載は、「時」と「分」とを表示するリボンに関してなされたものである。根源的な最高の美的効果を提供する無限の可能性と共に、このようなムーブメントによって他に多くの示唆が与えられることは、言うまでもない。図７は、例として、時間帯を表示するリボン１０の使用可能性を示している。固定線４０は、時間を読み取る基準として役立っている。
【００２６】
変形例の１つによると、本発明によるタイムピースは、ローラの１つのみを香箱として使用することができることを最後に申し述べる。
【図面の簡単な説明】
【００２７】
【図１】図１は、本発明による時計のムーブメントの部分的な斜視図である。
【図２】図２は、リボンが取り外された状態における、このムーブメントの正面図である。
【図３】図３は、このムーブメントの側面図である。
【図４】図４は、このムーブメントのもう一方側の側面図である。
【図５】図５は、巻き上げ及び設定機構の詳細を示している。
【図６】図６は、巻き上げ及び設定機構の詳細を示している。
【図７】図７は、図１におけるムーブメントの変形例を示している。
【図１】
2009531688.tif 000003
【図２】
2009531688.tif 000004
【図３】
2009531688.tif 000005
【図４】
2009531688.tif 000006
【図５】
2009531688.tif 000007
【図６】
2009531688.tif 000008
【図７】
2009531688.tif 000009
【手続補正書】
【提出日】平成20年12月1日(2008.12.1)
【手続補正１】
【補正対象書類名】特許請求の範囲
【補正対象項目名】全文
【補正方法】変更
【補正の内容】
【特許請求の範囲】
【請求項１】
時刻表示部(13,14)を有し、かつ平行に配された２つのローラ(11,12)の間に張り渡された可撓性のある無端リボン(10)、及び
香箱内で巻き上げられたぜんまいと脱進機と前記脱進機に連結されて成る調速機とを備えた、前記ローラの少なくとも１つを回転する機構を備えて成るタイムピースであって、
前記ぜんまいは、駆動機構である前記香箱を形成する前記ローラの少なくとも１つの内部で巻き上げられることを特徴とするタイムピース。
【請求項２】
前記機構において、２つのローラ(11,12)は、同一であり、かつ２つのローラの中間に実質的に配される、脱進機(24)と調速機(26)とに、輪列(20,21,22)を介して、それらの端部(19)の１つまで同様に連結される香箱を形成することを特徴とする請求項１に記載のタイムピース。
【請求項３】
前記機構は、リボン(10)が反時計回りで２４時間に１回転又は数回転するように構成されていることを特徴とする請求項１又は２に記載のタイムピース。
【請求項４】
前記ローラに含まれる前記ぜんまいは、隣接して配された多数の基本的なバネによって、実際に形成されることを特徴とする請求項１に記載のタイムピース。
【請求項５】
前記ローラに含まれる前記ぜんまいは、隣接して配された多数の基本的なバネによって、実際に形成されることを特徴とする請求項２に記載のタイムピース。
【請求項６】
２つのぜんまいの巻き上げを可能にするために、各ローラが、２つのローラの中間において、制御真(34)により作動される中心巻上げカナ(32)と輪列(30,31)を介して実質的に噛み合って、一方の端部では、角穴(29)で終わっていることを特徴とする請求項２に記載のタイムピース。
【請求項７】
２つのぜんまいの巻き上げを可能にするために、各ローラが、２つのローラの中間において、制御真(34)により作動される中心巻上げカナ(32)と輪列(30,31)を介して実質的に噛み合って、一方の端部では、角穴(29)で終わっていることを特徴とする請求項５に記載のタイムピース。
【請求項８】
前記リボンの設定をするために、制御真(34)が、前記ローラ上を移動するリボンの上に摩擦を生じるようにリボンに当接して、前記２つのローラに対して平行に配されたシャフト(38)を回転することを特徴とする請求項６に記載のタイムピース。
【請求項９】
前記リボンの設定をするために、制御真(34)が、前記ローラ上を移動するリボンの上に摩擦を生じるようにリボンに当接して、前記２つのローラに対して平行に配されたシャフト(38)を回転することを特徴とする請求項７に記載のタイムピース。
【国際調査報告】
2009531688.tif 000010
2009531688.tif 000011
2009531688.tif 000012
2009531688.tif 000013
2009531688.tif 000014
2009531688.tif 000015